(57)【要約】      （修正有）【課題】既存の構成を大幅に変更することなく、簡単な構成により、ハンガーに保持した内視鏡の先端部の照明光による発熱を抑制することができる内視鏡用架台装置を提供する。【解決手段】内視鏡２の操作部１２を保持することが可能なハンガー６２と、ハンガー６２に操作部１２が保持されたことを検出するスイッチ６７と、ハンガー６２に操作部１２が保持されたときの内視鏡２の挿入部１１における先端部１１ａと対向する位置に配置され、スイッチ６７において操作部１２が保持されたことが検出されているとき先端部１１ａに向けて光を照射する発光部６３と、を有して架台装置５１を構成する。【選択図】図２
2018187027.tif 000002
【特許請求の範囲】
【請求項１】
内視鏡の操作部を保持することが可能なハンガーと、
前記ハンガーに前記操作部が保持されたことを検出する懸架検出部と、
前記ハンガーに前記操作部が保持されたときの前記内視鏡の挿入部における先端部と対向する位置に配置され、前記先端部に光を照射する発光部と、
を備えたことを特徴とする内視鏡用架台装置。
【請求項２】
前記懸架検出部は、前記操作部の一部に当接してオンされるスイッチであることを特徴とする請求項１に記載の内視鏡用架台装置。
【請求項３】
前記発光部は前記懸架検出部において前記操作部が保持されたことが検出されているとき、前記先端部に光を照射する請求項１に記載の内視鏡用架台装置。
【請求項４】
操作部と当該操作部より延長される挿入部を備えた内視鏡と、
前記挿入部の先端部に設けられ、観察対象に向けて照明光を照射する照射部と、
前記先端部の周辺における光量を検出する周辺光検出部と、
前記周辺光検出部の検出結果に基づき、前記照射部から照射する前記照明光の光量を調整する光量調整部と、
前記内視鏡の前記操作部を保持することが可能なハンガーを有する架台装置と、
前記架台装置に前記操作部が保持されたことを検出する懸架検出部と、
前記ハンガーに前記操作部が保持されたときの前記先端部と対向する位置に配置され、前記懸架検出部において前記操作部が保持されたことが検出されているとき、前記先端部に光を照射する発光部と、
を備えたことを特徴とする内視鏡システム。
【請求項５】
前記光量調整部は、前記先端部の周辺における光量が所定量より小さい場合に、前記照明光の光量を増加させることを特徴とする請求項４に記載の内視鏡システム。
【請求項６】
操作部と当該操作部より延長される挿入部を備えた内視鏡と、
前記挿入部の先端部に設けられ、観察対象に向けて照明光を照射する照射部と、
前記先端部の周辺における光量を検出する周辺光検出部と、
前記周辺光検出部の検出結果に基づき、前記照射部から照射する前記照明光の光量を調整する光量調整部と、
前記内視鏡の前記操作部を保持することが可能なハンガーを有する架台装置と、
前記ハンガーに前記操作部が保持されたときの前記先端部と対向する位置に配置され、前記先端部に光を照射する発光部と、
を備えたことを特徴とする内視鏡システム。
【請求項７】
さらに、前記架台装置に前記操作部が保持されたことを検出する懸架検出部を備え、前記発光部は、前記懸架検出部により前記操作部が保持されたことが検出されているとき、前記先端部に光を照射する請求項６の内視鏡システム。
【発明の詳細な説明】
【技術分野】
【０００１】
本発明は、内視鏡の操作部をハンガーに保持する内視鏡用架台装置、及び、内視鏡システムに関する。
【背景技術】
【０００２】
従来、内視鏡システムは、医療分野及び工業分野において広く利用されている。内視鏡システムは、内視鏡と、この内視鏡が接続されるビデオプロセッサと、内視鏡に照明光を供給する光源装置と、ビデオプロセッサにより画像処理された内視鏡画像を表示するモニタとを含んで構成されている。このような構成により、内視鏡により撮像された被験体内の内視鏡画像がモニタに表示され、術者等は、被験体内に検査、処置などを行うことが可能となっている。
【０００３】
この種の内視鏡システムでは、モニタに表示される内視鏡画像を適切な明るさで表示させるための自動調光が行われている。自動調光は、内視鏡の撮像素子から出力される撮像信号に対して画像処理して得られた内視鏡画像の輝度情報に基づき、光源装置内の絞り装置及びランプを制御することにより行われる。
【０００４】
ところで、このような内視鏡システムを用いた各種検査や処置を行う前の準備中において、内視鏡は、トロリーの架台装置に設けられたハンガーに一時的に保持される。また、例えば、各種検査や処置の最中において、使用する内視鏡を他の内視鏡と交換等する場合にも、被験体から抜去された内視鏡は、ハンガーに一時的に保持される。
【０００５】
このような検査前や内視鏡の交換時等における検査室は、暗く設定されていることが一般的である。しかも、ハンガーに保持された内視鏡の先端部から床面までの距離は被験体内における先端部から観察対象までの距離よりも十分に大きいため、内視鏡の先端部に設けられた照射部から出射された光は広範囲に拡散される。従って、検査前や交換時等における内視鏡の照射部には、内視鏡システムの自動調光機能により、過剰な光量の照明光が供給される場合がある。そして、このように過剰な光量の照明光が供給されると、内視鏡の先端部が過熱される場合がある。
【０００６】
これに対し、例えば、特許文献１には、照明光を照射する照明手段と、照射された照明光を導光して被写体を照射し、被写体の画像を撮像する電子スコープ（内視鏡）と、撮像された画像に基づいて照明手段の照明光量を制御する照明光量制御手段と、電子スコープを支持する支持手段（ハンガー）と、支持手段による電子スコープの支持を検知する支持検知手段と、支持が検知されたとき、照明光量制御手段による照明光量の制御を中断して照明光量を所定の光量に制限する照明光量制限手段とを有する医療用観察システム（内視鏡システム）が開示されている。
【先行技術文献】
【特許文献】
【０００７】
【特許文献１】特開２０１１−３６４８４号公報
【発明の概要】
【発明が解決しようとする課題】
【０００８】
しかしながら、上述の特許文献１に開示された技術は、光源装置に照明光量制御手段等の機能を新たに追加するなど、各種の設計変更等を必要とする。
【０００９】
本発明は上記事情に鑑みてなされたもので、既存の構成を大幅に変更することなく、簡単な構成により、ハンガーに保持した内視鏡の先端部の照明光による発熱を抑制することができる内視鏡用架台装置、及び、内視鏡システムを提供することを目的とする。
【課題を解決するための手段】
【００１０】
本発明の一態様による内視鏡用架台装置は、内視鏡の操作部を保持することが可能なハンガーと、前記ハンガーに前記操作部が保持されたことを検出する懸架検出部と、前記ハンガーに前記操作部が保持されたときの前記内視鏡の挿入部における先端部と対向する位置に配置され、前記先端部に光を照射する発光部と、を備えたものである。
【００１１】
また、本発明の一態様による内視鏡システムは、操作部と当該操作部より延長される挿入部を備えた内視鏡と、前記挿入部の先端部に設けられ、観察対象に向けて照明光を照射する照射部と、前記先端部の周辺における光量を検出する周辺光検出部と、前記周辺光検出部の検出結果に基づき、前記照射部から照射する前記照明光の光量を調整する光量調整部と、前記内視鏡の前記操作部を保持することが可能なハンガーを有する架台装置と、前記架台装置に前記操作部が保持されたことを検出する懸架検出部と、前記ハンガーに前記操作部が保持されたときの前記先端部と対向する位置に配置され、前記懸架検出部において前記操作部が保持されたことが検出されているとき、前記先端部に光を照射する発光部と、を備えたものである。
【００１２】
さらに、本発明の一態様による内視鏡システムは、操作部と当該操作部より延長される挿入部を備えた内視鏡と、前記挿入部の先端部に設けられ、観察対象に向けて照明光を照射する照射部と、前記先端部の周辺における光量を検出する周辺光検出部と、前記周辺光検出部の検出結果に基づき、前記照射部から照射する前記照明光の光量を調整する光量調整部と、前記内視鏡の前記操作部を保持することが可能なハンガーを有する架台装置と、前記ハンガーに前記操作部が保持されたときの前記先端部と対向する位置に配置され、前記先端部に光を照射する発光部と、を備えたものである。
【発明の効果】
【００１３】
本発明によれば、既存の構成を大幅に変更することなく、簡単な構成により、ハンガーに保持した内視鏡の先端部の照明光による発熱を抑制することができる。
【図面の簡単な説明】
【００１４】
【図１】内視鏡システムの全体構成を示す斜視図
【図２】内視鏡システムの要部を示すブロック図
【図３】光源装置の制御部のブロック図
【図４】ハンガーの要部を示す斜視図
【図５】ハンガーに内視鏡を保持した状態を示す斜視図
【図６】変形例に係り、ハンガー挿入部に設けられたスイッチの説明図
【発明を実施するための形態】
【００１５】
以下、図面を参照して本発明の形態を説明する。図面は本発明の一実施形態に係り、図１は内視鏡システムの全体構成を示す斜視図、図２は内視鏡システムの要部を示すブロック図、図３は光源装置の制御部のブロック図、図４はハンガーの要部を示す斜視図、図５はハンガーに内視鏡を保持した状態を示す斜視図である。
【００１６】
図１に示す内視鏡システム１は、内視鏡２と、光源装置３と、ビデオプロセッサ４と、モニタ５と、これらを保持するための医療用トロリー６と、を有する。
【００１７】
図１に示すように、内視鏡２は、細長の挿入部１１と、操作部１２と、を有して構成されている。
【００１８】
図２に示すように、挿入部１１の先端部１１ａには、ＣＣＤ等からなる撮像素子１３と、撮像素子１３に被験体像を結像するための対物光学系１４と、挿入部１１に挿通された光ファイバであるライトガイド１５の一端と、ライトガイド１５によって導光された光（照明光）を観察対象に向けて照射するための照射部としての照明光学系１６と、が配置されている。
【００１９】
操作部１２には、図示しない湾曲操作ノブや各種内視鏡のスイッチ類が設けられている。また、操作部１２の基端側の側部からは、ユニバーサルケーブル１７が延出されている。
【００２０】
ユニバーサルケーブル１７は、ライトガイド１５や、撮像素子１３から延出する信号線１３ａ等が挿通された複合ケーブルによって構成されている。このユニバーサルケーブル１７の延出端部には、光源装置３に対して着脱自在に接続される光源用コネクタ１７ａが設けられている。
【００２１】
また、光源用コネクタ１７ａには、信号線１３ａと電気的に接続するスコープケーブル１８が接続され、このスコープケーブル１８の延出端には、ビデオプロセッサ４に対して着脱自在に接続される信号用コネクタ１８ａが設けられている。
【００２２】
光源装置３は、制御部２１と、フロントパネル２２と、光源としてのランプ２３と、第１の回転フィルタ２４と、絞り装置（以下、絞りという）２５と、第２の回転フィルタ２６と、集光レンズ２７と、を有している。
【００２３】
制御部２１は、光源装置３の全体の制御を行うと共に、ビデオプロセッサ４からの明るさに関する信号に基づいてランプ２３と絞り２５の制御を行う。制御部２１は、中央処理装置（ＣＰＵ）、ＲＯＭ、ＲＡＭ等を含む。制御部２１の構成については、後で詳述する。
【００２４】
フロントパネル２２には、通常光観察モードと特殊光観察モードを切り換えるためのモード切換スイッチ２２ａと、その他の各種操作スイッチなどが設けられている。フロントパネル２２からの操作信号は、制御部２１に入力される。
【００２５】
モード切換スイッチ２２ａは、通常光観察モードに対応する照明モードと特殊光観察モードに対応する照明モードとの切り換えを指示する切り換え指示部を構成する。
【００２６】
ここでは、光源装置３は、通常光観察モードに対応した第１の照明モードと、特殊光観察モードに対応した第２の照明モードを有する。第１の照明モードである通常光観察モード時の通常光観察用の波長帯域光は、可視光域の光であり、第２の照明モードである特殊光観察モード時の特殊光観察用の波長帯域光は、可視光域の一部の狭帯域の光である。すなわち、特殊光は、通常光の波長帯域の一部の帯域を有する光である。
【００２７】
なお、ここでは、特殊光観察モードに対応する照明モードの光は、通常光観察モードに対応する照明モードの光の一部の波長帯域を有する光であるが、特殊光観察モードに対応する照明モードの光は、通常光観察モードに対応する照明モードの光とは全く異なる波長帯域を有する光であってもよい。すなわち、光源装置３において、一方の照明モードは、他方の照明モードと、一部において異なる波長帯域を有する光を照明光として出射するモードでも、あるいは一方の照明モードは、他方の照明モードと、全く異なる波長帯域を有する光を照明光として出射するモードでもよい。
【００２８】
ランプ２３は、被検体に照明光を供給するための光源であり、例えば、キセノンランプである。ランプ２３は、制御部２１からの駆動信号に応じて、オン・オフされる。
【００２９】
回転フィルタ２４は、通常光観察用の波長帯域光と特殊光観察用の波長帯域光のいずれかを選択的に出射するためのフィルタである。回転フィルタ２４は、制御部２１からの制御信号に基づいて、回転フィルタ２４の回転軸周りに回動して、モード切換スイッチ２２ａにより指定されたモードに応じたフィルタを、ランプ２３の出射光の光路上に配置するように動作する。
【００３０】
回転フィルタ２４は、ランプ２３が出射する光の光路中に挿脱可能に設けられ、光路中に挿入された状態において、特殊光観察モード時は、通常光観察モード時の光の一部帯域の光を透過する光学フィルタである。
【００３１】
よって、特殊光観察モード時は、ランプ２３と、回転フィルタ２４の光学フィルタにより、光源が構成される。すなわち、特殊光観察モードのとき、光源装置３は、光学フィルタが光路中に挿入させ、その光学フィルタによって透過された光を照明光としてライトガイド１５へ供給する。
【００３２】
絞り２５は、ライトガイド１５へ供給する照明光の出射光量を調整可能な光量調整部を構成する。絞り２５が制御部２１からの絞り駆動信号に基づいて、絞りを閉じあるいは開くことによって、ランプ２３の出射光の光量は調整される。
【００３３】
回転フィルタ２６は、面順次光を出射するためにＲ（赤）フィルタ，Ｇ（緑）フィルタ，Ｂ（青）フィルタを有するフィルタである。回転フィルタ２６は、制御部２１から制御信号に基づいて、回転フィルタ２６の回転軸周りに所定の回転速度で回転して、ＲＧＢの３つのフィルタを順番にランプ２３の出射光の光路上に連続的に配置するように、動作する。
【００３４】
集光レンズ２７は、２つの回転フィルタ２４と２６を通ってきた照明光を、ライトガイド１５の基端面に集光するための光学素子である。
【００３５】
光源装置３の制御部２１は、モード切換スイッチ２２ａに応じたフィルタを選択するように回転フィルタ２４を選択し、かつビデオプロセッサ４からの明るさに関する信号に基づいて、絞り２５を制御する。本実施の形態では、明るさに関する信号は、明るさ目標信号ＣＳである。
【００３６】
ビデオプロセッサ４は、制御部３１と、調光部３２と、ＣＣＤ駆動部３３と、映像処理部３４と、を含んで構成される。
【００３７】
制御部３１は、ビデオプロセッサ４全体を制御するための処理部であり、ユーザにより指定された観察モードに応じて、調光部３２、ＣＣＤ駆動部３３及び映像処理部３４を制御する。
【００３８】
調光部３２は、映像処理部３４で生成されたモニタ５に表示される映像信号の輝度すなわち明るさから、明るさ目標信号ＣＳを生成し、光源装置４の制御部２１へ供給する。明るさ目標信号ＣＳは、例えば、モニタ５に表示される映像信号の明るさと、基準となる明るさとの比較結果に応じて算出して決定された値を示す信号である。このように、本実施形態において、調光部３２は、撮像素子１３、映像処理部３４等と共に、先端部１１ａの周辺における光量を検出する周辺光検出部としての機能を実現する。
【００３９】
ＣＣＤ駆動部３３は、制御部３１からのＣＣＤ駆動制御信号に基づいて、撮像素子１３を駆動するＣＣＤ駆動信号を出力する回路である。
【００４０】
映像処理部３４は、制御部３１の制御の下、ＣＣＤ１３からの撮像信号を受信して、各種補正処理、強調処理等を行い、モニタ５に内視鏡画像を表示するため映像信号を生成して、モニタ５へ出力する。
【００４１】
光源装置４のフロントパネル２２からの操作信号は、制御部３１に入力され、制御部３１は、フロントパネル２２において操作されたスイッチの機能に応じた処理を実行する。
【００４２】
図３に示すように、制御部２１は、回路基板に搭載された各種回路から構成される。制御部２１は、基板上に搭載される各種チップ及び回路からなる。制御部２１は、ＦＰＧＡ（Field Programmable Gate Array）４１と、ランプ駆動部４２、フィルタ駆動部４３，４４、絞り駆動部４５を含む。
【００４３】
ＦＰＧＡ４１は、ＣＰＵ４１ａと、ＲＯＭ及びＲＡＭを含む記憶部４１ｂと、絞り制御部４１ｃとを有する。
【００４４】
ＣＰＵ４１ａは、モード切換スイッチ２２ａからの信号に基づいて、通常光観察モードＮＭに対応する照明モードと、特殊光観察モードＳＭに対応する照明モードとを切り換える照明モード切換制御部を構成する。
【００４５】
絞り制御部４１ｃは、ビデオプロセッサ４からの明るさ目標信号ＣＳに応じた絞り駆動制御信号ＩＣを出力する制御部である。すなわち、絞り制御部４１ｃは、被検体を撮像して得られた画像の明るさに基づいて生成される光量制御信号である明るさ目標信号ＣＳに基づいて、光量調整部である絞り２５に照明光の出射光量の調整を実行させる。
【００４６】
明るさ目標信号ＣＳは、明るさの目標値を示し、絞り制御部４１ｃは、明るさ目標信号ＣＳの示す目標値（以下、明るさ目標値という）ＣＳＶが所定の基準値ＲＳになるように、絞り２５の制御を行う。具体的には、絞り制御部４１ｃは、入力された明るさ目標値ＣＳＶが所定の基準値ＲＳよりも大きいか、小さいかに応じて、絞り２５を閉じるあるいは開くような絞り駆動制御信号ＩＣを生成して絞り駆動部４５に出力する。
【００４７】
ランプ駆動部４２は、ＦＰＧＡ４１からのランプ駆動制御信号に基づいて、ランプ２３を点灯させるランプ駆動信号を出力する。
【００４８】
フィルタ駆動部４３は、ＦＰＧＡ４１からの回転フィルタ２４を制御するためのフィルタ駆動制御信号に基づいて、回転フィルタ２４を回動させるモータ（図示せず）を駆動するモータ駆動信号を出力する。
【００４９】
フィルタ駆動部４４は、ＦＰＧＡ４１からの回転フィルタ２６を制御するためのフィルタ駆動制御信号に基づいて、回転フィルタ２６を回転させるモータ（図示せず）を駆動するモータ駆動信号を出力する。
【００５０】
絞り駆動部４５は、ＦＰＧＡ４１からの絞り２５を制御するための絞り駆動制御信号ＩＣに基づいて、絞り２５を駆動するための絞り駆動信号を出力する。絞り駆動部４５には、絞り２５に設けられたポテンショメータ等の位置検出器からの検出信号に基づく現在の絞り値ＤＣがフィードバックされて入力されており、そのフィードバック信号ＦＢは、絞り制御部４１ｃに入力されている。
【００５１】
このように、絞り制御部４１ｃから入力される絞り駆動制御信号ＩＣに応じて絞り２５を駆動する絞り駆動部４５は、絞り２５及び絞り制御部４１ｃ等とともに光量調整部を構成する。
【００５２】
例えば、図１に示すように、本実施形態のトロリー６は、トロリー本体５０と、このトロリー本体５０に併設された内視鏡用架台装置５１と、を有して構成されている。
【００５３】
トロリー本体５０は、正面視略逆Ｕ字状をなすフレーム５５を有する。
【００５４】
このフレーム５５には複数の棚５６が架設され、これらの棚５６のうちの一つには、例えば、光源装置３とビデオプロセッサ４とが重ねて載置されている。なお、図示しないが、各棚５６には、内視鏡システム１を構成する他の各種機器類を必要に応じて載置することが可能である。
【００５５】
また、最も下段に位置する棚５６の裏面には、トロリー６を移動可能とするためのキャスター５７が設けられている。
【００５６】
さらに、フレーム５５の頂部には表示部取付アーム５８が固設され、この表示部取付アーム５８の自由端には、表示部５が取り付けられている。
【００５７】
内視鏡用架台装置５１は、支柱６０と、この支柱６０の基端側（下端側）を支持するための支柱受部６１と、支柱の先端側（上端側）に設けられた例えば２つのハンガー６２と、支柱受部６１の下端側に設けられた発光部６３と、を有して構成されている。
【００５８】
支柱６０は、中途が屈曲されることにより、先端側の所定区間が水平方向に延在するよう形成された棒状の部材によって構成されている。そして、この支柱６０の水平方向に延在する区間がハンガー支持部６０ａとして設定されている。
【００５９】
支柱受部６１は、フレーム５５の一側（例えば、フレーム５５の右側）に固設されている。この支柱受部６１は、上端が開口されたパイプ状をなし、支柱６０の基端側を内部に挿入することが可能となっている。また、支柱受部６１の上端部には、当該支柱受部６１の内部に挿入された支柱６０の基端側を任意の高さにて固定するための、例えばローレットネジ式の支柱固定部６１ａが設けられている。
【００６０】
図４，５に示すように、ハンガー６２は、略鞍型形状をなすハンガー本体６５と、このハンガー本体６５を支柱６０のハンガー支持部６０ａに固定するための固定部材６６と、を一体に有して構成されている。
【００６１】
ハンガー本体６５の略中央部には、略Ｕ字状をなす凹部６５ａが形成されている。そして、この凹部６５ａに内視鏡２の操作部１２及びユニバーサルケーブル１７の一部を係止することにより、ハンガー６２は、挿入部１１を床面に向けて垂下させた状態にて、操作部１２を保持（懸架）することが可能となっている。
【００６２】
また、ハンガー本体６５には、凹部６５ａに係止（保持）された操作部１２と接触する位置に、懸架検出部としてのスイッチ６７が設けられている。このスイッチ６７は、例えば、常開のスイッチであり、操作部１２の接触によって押圧された際にオンする。これにより、スイッチ６７は、ハンガー６２に操作部１２が保持されたことを検出することが可能となっている。
【００６３】
発光部６３は、例えば、支柱受部６１に着脱自在に固定されたランプケース６８と、このランプケース６８内に収容されたランプ６９と、を有して構成されている。
【００６４】
ランプケース６８は、ハンガー６２に操作部１２が保持された際に、当該操作部１２から垂下される挿入部１１の先端部１１ａに対向する位置に固定されている。
【００６５】
また、例えば、図２に示すように、ランプケース６８には、バッテリ等の電源６８ａが内蔵されている。この電源６８ａにはスイッチ６７が電気的に接続され、スイッチ７６がオンされたとき、電源６８ａはランプ６９に対して電力を供給することが可能となっている。そして、ランプ６９の点灯により、発光部６３は、ハンガー６２に保持された内視鏡２の先端部１１ａに対して光を照射することが可能となっている。
【００６６】
このような内視鏡システム１を用いた各種検査や処置を行う前の内視鏡２の操作部１２、或いは、各種検査や処置の最中において被験体から抜去された内視鏡２の操作部１２がハンガー６２に保持されると、当該内視鏡２は、挿入部１１が床面に向けて垂下された状態にて保持される。
【００６７】
このとき、挿入部１１の先端部１１ａは、発光部６３に対向するように配置される。
【００６８】
また、操作部１２がハンガー６２に保持された際にスイッチ６７がオンされることにより、発光部６３のランプ６９には電源６８ａからの電力が供給される。
【００６９】
これにより、ハンガー６２に操作部１２が保持された内視鏡２の先端部１１ａには、発光部６３のランプ６９からの光が照射される。
【００７０】
そして、この発光部６３から先端部１１ａへの光の照射により、撮像素子１３において撮像された被写体像の輝度（モニタ５に表示される映像信号の輝度）は全体的に高くなる。このため、光源装置３内の絞り２５が照明光学系１６への照明光の光量を制限（減少）させる方向に制御される。
【００７１】
従って、内視鏡２がハンガー６２に保持された待機時等においても、照明光学系１６に対し、過剰な光量の照明光供給が禁止され、先端部１１ａの過熱が抑制される。
【００７２】
このような実施形態によれば、内視鏡２の操作部１２を保持することが可能なハンガー６２と、ハンガー６２に操作部１２が保持されたことを検出するスイッチ６７と、ハンガー６２に操作部１２が保持されたときの内視鏡２の挿入部１１における先端部１１ａと対向する位置に配置され、スイッチ６７において操作部１２が保持されたことが検出されているとき先端部１１ａに向けて光を照射する発光部６３と、を有して架台装置５１を構成することにより、既存の構成を大幅に変更することなく、簡単な構成により、ハンガー６２に保持された内視鏡２の先端部１１ａの照明光による発熱を抑制することができる。
【００７３】
すなわち、内視鏡２の先端部１１ａに対して直接的に光を照射する発光部６３を架台装置５１に設けることにより、操作部１２がハンガー６２に保持された待機時専用の照明光量制御手段等の機能を追加することなく、被験体内において検査や処置を行う際に用いられる既存の光量制御をそのまま用いて、照明光による先端部１１ａの過熱を抑制することができる。
【００７４】
ここで、懸架検出部の構成は、上述のようなハンガー６２に設けられたスイッチ６７に限定されるものではなく、例えば、図６に示すように、ハンガー６２に操作部１２が保持された際の重量の変化により、支柱６０によって押圧されるスイッチ７１を支柱受部６１内に設けることも可能である。
【００７５】
また、ハンガー本体６５にスイッチ６７を設けず、ランプ６９が常に点灯するような構成にしても良い。
【００７６】
なお、本発明は、以上説明した各実施形態に限定されることなく、種々の変形や変更が可能であり、それらも本発明の技術的範囲内である。
【符号の説明】
【００７７】
１  …  内視鏡システム
２  …  内視鏡
３  …  光源装置
４  …  ビデオプロセッサ
４  …  光源装置
５  …  モニタ
５  …  表示部
６  …  医療用トロリー
６  …  トロリー
１１  …  挿入部
１１ａ  …  先端部
１２  …  操作部
１３  …  撮像素子
１３ａ  …  信号線
１４  …  対物光学系
１５  …  ライトガイド
１６  …  照明光学系
１７  …  ユニバーサルケーブル
１７ａ  …  光源用コネクタ
１８  …  スコープケーブル
１８ａ  …  信号用コネクタ
２１  …  制御部
２２  …  フロントパネル
２２ａ  …  モード切換スイッチ
２３  …  ランプ
２４  …  第１の回転フィルタ
２４  …  回転フィルタ
２５  …  絞り装置
２６  …  第２の回転フィルタ
２７  …  集光レンズ
３１  …  制御部
３２  …  調光部
３３  …  ＣＣＤ駆動部
３４  …  映像処理部
４１ａ  …  ＣＰＵ
４１ｂ  …  記憶部
４１ｃ  …  絞り制御部
４２  …  ランプ駆動部
４３  …  フィルタ駆動部
４４  …  フィルタ駆動部
４５  …  絞り駆動部
５０  …  トロリー本体
５１  …  架台装置（内視鏡用架台装置）
５５  …  フレーム
５６  …  棚
５７  …  キャスター
５８  …  表示部取付アーム
６０  …  支柱
６０ａ  …  ハンガー支持部
６１  …  支柱受部
６１ａ  …  支柱固定部
６２  …  ハンガー
６３  …  発光部
６５  …  ハンガー本体
６５ａ  …  凹部
６６  …  固定部材
６７  …  スイッチ
６８  …  ランプケース
６８ａ  …  電源
６９  …  ランプ
７１  …  スイッチ
７６  …  スイッチ
【図１】
2018187027.tif 000003
【図２】
2018187027.tif 000004
【図３】
2018187027.tif 000005
【図４】
2018187027.tif 000006
【図５】
2018187027.tif 000007
【図６】
2018187027.tif 000008